(57)【要約】【課題】簡単な構成で、顔全体を均等に照明できる、照明装置を提供する。【解決手段】照明装置（１０）は、光の透過が可能な矩形状の導光板（１１）と、導光板（１１）の背面の中央部に取り付けられた矩形状の鏡（１２）とを含み、鏡（１２）は導光板（１１）によって少なくともその側面が挟まれ、導光板（１１）の一部に設けられ、導光板（１１）に光を入射する光源部（１３ａ）、（１３ｂ）とを含み、導光板（１１）の背面側には、鏡（１２）のみが設けられる。【選択図】図１
2018055991.tif 000002
【特許請求の範囲】
【請求項１】
光の透過が可能な矩形状の導光板と、
前記導光板の背面の中央部に取り付けられた矩形状の鏡と、を含み、
前記鏡は前記導光板によって少なくともその側面が挟まれ、
前記導光板の一部に設けられ、前記導光板に光を入射する光源部とを含み、
前記導光板の背面には、前記鏡のみが設けられる、鏡を有する照明装置。
【請求項２】
前記鏡は前記導光板によってその周囲が囲まれる、請求項１に記載の鏡を有する照明装置。
【請求項３】
前記光源部は、前記導光板の１辺に設けられる、請求項１または２に記載の鏡を有する照明装置。
【請求項４】
前記光源部は、前記導光板の隣接する２辺に設けられる、請求項１〜３のいずれかに記載の鏡を有する照明装置。
【発明の詳細な説明】
【技術分野】
【０００１】
この発明は鏡を備えた照明装置に関する。
【背景技術】
【０００２】
鏡を備えた照明装置が、たとえば、特開２０１３−１４５６５１号公報（以下、「特許文献１」という）に開示されている。
【０００３】
特許文献１によれば、鏡を備えた照明装置は、鏡部と、鏡部の周囲の少なくとも一部に配置された透光部とを有するカバー部と、透光部の背面の少なくとも一部に、かつ、鏡部の背面の少なくとも一部に重なるように配置され、端部から入射された光を透光部の背面に向けて出射させる導光板と、導光板の端部に光を入射する半導体光源ユニットとを備え、カバーと導光板が鏡部の少なくとも一部において固着されている。
【先行技術文献】
【特許文献】
【０００４】
【特許文献１】特開２０１３−１４５６５１号公報
【発明の概要】
【発明が解決しようとする課題】
【０００５】
従来の鏡を備えた照明装置は上記のように構成されていた。基本的に、中央部に鏡面を形成し、その矩形状の下の辺を除く「コ」の字状に鏡面の周囲に面発光部を設けるように構成されている。また、他の実施の形態として、外周部に埋め込み型の矩形状のＬＥＤモジュールを用いて鏡面部の周囲を囲む「ロ」の字状に面発光部を設けてもよい、とか、面発光部の裏面にも鏡面を設けてもよいという記載がある。
【０００６】
しかしながら、このような構成であると、鏡面の全周に面発光部を設けるために複雑な構成を採用する必要があるという問題があった。
【０００７】
この発明は上記のような問題点を解消するためになされたもので、簡単な構成で、顔全体を均等に照明できる、照明装置を提供することを目的とする。
【課題を解決するための手段】
【０００８】
この発明に係る、鏡を備えた照明装置は、光の透過が可能な矩形状の導光板と、導光板の背面の中央部に取り付けられた鏡面と、を含む。鏡面の全周は導光板によって囲まれ、導光板の一部に設けられ、導光板に光を入射する光源部とを含み、鏡面の背面側には、導光板と鏡とのみが設けられる。
【０００９】
好ましくは、鏡は導光板によってその周囲が囲まれる。
【００１０】
光源部は、導光板の１辺に設けられてもよいし、導光板の隣接する２辺に設けられてもよい。
【発明の効果】
【００１１】
この発明においては、鏡面の全周が導光板によって囲まれるため、導光板に光を入射して照明装置とすることにより、鏡面の全周から光を照射されとともに、鏡面の背面側には、導光板と鏡とのみが設けられる。
【００１２】
その結果、簡単な構成で、顔全体を均等に照明できる、鏡を備えた照明装置、を提供できる。
【図面の簡単な説明】
【００１３】
【図１】この発明の一実施の形態に係る照明装置を示す図である。
【図２】図１（Ｂ）においてＩＩ−ＩＩで示す部分の断面図である。
【図３】この発明の他の実施の形態を示す図である。
【発明を実施するための形態】
【００１４】
以下、この発明の一実施の形態を、図面を参照して説明する。図１および図２はこの発明の一実施の形態に係る鏡を有する照明装置１０を示す図である。図１（Ａ）は鏡を有する照明装置１０の平面図であり、図１（Ｂ）は図１（Ａ）において矢印ＩＢ−ＩＢで示す正面図である。また、図２は図１（Ｂ）において矢印ＩＩ−ＩＩで示す断面図である。
【００１５】
図１および図２を参照して、鏡を有する照明装置１０は、矩形状の面を有する導光板１１と、導光板１１の背面において、導光板１１のほぼ中央に設けられ、導光板１１側に鏡面を有する鏡１２と、導光板１１の上端部の両側端部に設けられたＬＥＤ光源部１３ａ，１３ｂと、導光板１１の一方側端部の上下の両側端部に設けられたＬＥＤ光源部１４ａ，１４ｂと、を含む。導光板の背面側には鏡のみが設けられる。
【００１６】
導光板の背面の中央部に矩形状の鏡が取り付けられているため、正面から見ると、鏡は導光板によってその側面が挟まれたように見える。
【００１７】
ここで、ＬＥＤ光源部１３ａ，１３ｂは、鏡１２の横方向両端部の上方向への延長線上を挟む位置に設けるのが好ましい。なお、ＬＥＤ光源部１４ａ，１４ｂも同様である。
【００１８】
図２を参照して、導光板１１は、一方面１１ａと対向する他方面１１ｂとを有する矩形のガラスまたはアクリル板のような透光性を有する材料で形成される。導光板１１の一方面１１ｂ側には、特殊インクで印刷されたドットパターン（ドット状のシルク印刷パターン）１５ａ・・・１５ｄと、導光板１１の一方面及び対向する他方面とを接続する端面の一方側に設けられたＬＥＤ光源１３ａとを含む。
【００１９】
ここで、ドットパターン１５はそこに入射した光を外部へ散乱させるために設けられている。すなわち、ＬＥＤ光源１３ａから導光板１１に入射された光は導光板１１の一方面および他方面で反射されて図中矢印に示す方向に光を伝播する。このとき、ドットパターン１５に入射した光はその点で外部へ散乱される（図中点線で示す）。したがって、このドットパターン１５の設けられた位置から光が導光板１１の一方側および他方側に放射される。
【００２０】
なお、導光板１１がＬＥＤ光源１３ａから離れた位置まで延在するときは、このドットパターン１５を設ける間隔や密度を変えて、均一に光が照射されるように配置される。例えば、間隔を変えるときは、ＬＥＤ光源１３ａから離れるほど、間隔を小さくする。
【００２１】
また、ここでは、ドットパターン１５を一方面１１ｂ側にのみ設けたが、他方面１１ａ側にも設けてもよい。そうすれば、両面での光の照射量が増加するため、鏡１２の周囲をより明るくできる照明装置１０が提供できる。
【００２２】
なお、図２では、鏡を有する照明装置１０の縦方向の一方側のみを示しているが、ＬＥＤ光源１３ｂが設けられた側も同様である。
【００２３】
さらに、図１（Ｂ）に示すように、ＬＥＤ光源１４ａ、１４ｂが鏡１２の上下に水平に設けられているが、これらの配列も図２と同様である。
【００２４】
また、ここでは、ＬＥＤ光源を導光板の一方側端部にのみ設けたが、これに限らず、対向するように、それぞれの両端部に設けてもよい。
【００２５】
以上のように、この実施の形態では、鏡面の全周が導光板によって囲まれるため、導光板に光を入射して照明装置とすることにより、鏡面の全周から、鏡を見る人の顔に光が照射されとともに、導光板が透明のため、照明装置１０の背面側も明るくすることができる。
【００２６】
その結果、鏡を有する照明装置を、その背景も考慮して配置することができる。
【００２７】
また、導光板の背面側には、その中央部に鏡のみが設けられるため、簡単な構成で、鏡面の全周から鏡を見る人の顔に光を照射できる。
【００２８】
その結果、簡単な構成で、顔全体を均等に照明できる、鏡を備えた照明装置、を提供できる。
【００２９】
次に、この発明の他の実施の形態について説明する。図３はこの発明の他の実施の形態に係る照明装置２０を示す図である。図３は、先の実施の形態における図１（Ｂ）に対応する。
【００３０】
図３を参照して、この実施の形態においては、図１の実施の形態と比べて、横方向のＬＥＤ光源が省略されている点のみが異なる。
【００３１】
したがって、基本的な構成は先の実施の形態と同様であるので、その説明は省略する。
【００３２】
この実施の形態によれば、導光板２１の背面にその高さ方向を合わせて背面に鏡を設けたため、簡単な構成で、鏡を見る人の顔を明るく照明できる鏡を有する照明装置、を提供できる。
【００３３】
なお、導光板の裏面への鏡の取付方法としては、接着、ねじ止め等の任意の方法で行うことができる。
【産業上の利用可能性】
【００３４】
この発明によれば、簡単な構成で、顔全体を均等に照明できる、照明装置を提供することできるため、照明装置として有利に使用される。
【符号の説明】
【００３５】
１０  照明装置、１１  導光板、１２  鏡、１３ａ，１３ｂ，１４ａ，１４ｂ  ＬＥＤ光源部、１５ａ〜１５ｄ  ドットパターン。
【図１】
2018055991.tif 000003
【図２】
2018055991.tif 000004
【図３】
2018055991.tif 000005